(57)【特許請求の範囲】
【請求項１】
高純度薬品及び一般化学薬品が貯留される容器の開口部に取り付けられるプラグと、該プラグに接続されるソケットとからなる接続器具であって、
前記プラグは、前記開口部へ液密的に固定される蓋本体と、該蓋本体に設けられ、前記ソケットが連結可能なプラグ部と、前記蓋本体の下部から下方へ延在され、前記蓋本体を前記開口部に固定した際に下端部が前記容器の底部近傍に配置されるサイフォン管とを有し、
前記プラグ部は、内側が挿通孔とされている円筒状に、かつ、前記サイフォン管の流路と前記挿通孔とが互いに連通されるように形成されており、
前記ソケットは、
ベローズ部であって、前記プラグと接続され、次いで前記プラグ部の先端部に該ベローズ部の弁座部が当接することによって、軸方向に収縮可能なベローズ部、
および該ベローズ部が収縮されることによって、開状態となるバルブを有し、
該サイフォン管は、前記蓋本体に一体成型された管体からなり、
前記蓋本体と前記プラグ部とが一体成型されており、
前記プラグ部は、有底円筒状に形成されたキャップであって、その開口端部側における内面にめねじが形成されたキャップが、前記プラグ部の根元近傍の外周面に形成されたおねじに螺合することによってプラグ部の端部を封鎖可能に構成されていることを特徴とする接続器具。
【請求項２】
高純度薬品及び一般化学薬品が貯留される容器の開口部に取り付けられるプラグと、該プラグに接続されるソケットとからなる接続器具であって、
前記プラグは、前記開口部へ液密的に固定される蓋本体と、該蓋本体に設けられ、前記ソケットが連結可能なプラグ部と、前記蓋本体の下部から下方へ延在され、前記蓋本体を開口部に固定した際に下端部が前記容器の底部近傍に配置されるサイフォン管とを有し、
前記プラグ部は、内側が挿通孔とされている円筒状に、かつ、前記サイフォン管の流路と前記挿通孔とが互いに連通されるように形成されており、
前記ソケットは、
ベローズ部であって、前記プラグと接続され、次いで前記プラグ部の先端部に該ベローズ部の弁座部が当接することによって、軸方向に収縮可能なベローズ部、
および該ベローズ部が収縮されることによって、開状態となるバルブを有し、
該サイフォン管は、前記蓋本体に一体成型された管体と、該管体の端部に突き合わされ、この突き合わせ部分が互いに溶着されて液密的に一体化された延長管体とからなり、
前記蓋本体と前記プラグ部とが一体成型されており、
前記プラグ部は、有底円筒状に形成されたキャップであって、その開口端部側における内面にめねじが形成されたキャップが、前記プラグ部の根元近傍の外周面に形成されたおねじに螺合することによってプラグ部の端部を封鎖可能に構成されていることを特徴とする接続器具。
【発明の詳細な説明】
【０００１】
【発明の属する技術分野】
この発明は、半導体高純度薬品や一般化学薬品などの液体が貯留される容器の開口部に取り付けられる接続器具に関するものである。
【０００２】
【従来の技術】
一般に、半導体高純度薬品や一般化学薬品は、これら薬品に充分耐え得る容器内に貯留されている。
従来より、図６に示すように、この容器１には、二つの開口部１ａが形成されており、これら開口部１ａには、プラグ部２が設けられたプラグ３が取り付けられるようになっている。なお、一方のプラグ３には、容器１の底部近傍まで延びたサイフォン管４が接続されている。
【０００３】
そして、この容器１に貯留された液体を引き出すには、まず、容器１の開口部１ａに設けられたプラグ３のプラグ部２にホース５が接続されたソケット６を連結させ、ポンプＰによって容器１内の液体をサイフォン管４を介してホース５へ送り出していた。
【０００４】
なお、このとき、容器１内が負圧とならないように、他方側のプラグ３に連結したホース５から不活性ガスを送り込んでいた。
また、容器１内の液体が全て送り出されて空となったことは、液体の引き出し側においてガスの流出の有無を検知することにより行っていた。そして、ガスの流出を検知した際に、容器１内が空であると判断し、この空の容器１を液体が貯留された新たな容器１に交換していた。
【０００５】
【発明が解決しようとする課題】
ところで、容器１内の液体が送り出されるサイフォン管４は、その上端部にテーパねじからなるおねじが形成されており、このおねじにシールテープを巻き付けて、プラグ３側に形成されたテーパねじからなるめねじへねじ込むことにより接続しているが、このようにシールテープを巻き付けたとしても、この接続部分に隙間が形成され、容器１内のガスがリークしてしまうことがあった。
【０００６】
そして、このように、接続部分からガスがリークした場合、引き出し側においてガスを検知してしまい、容器１内に液体が残っていたとしても、容器１が空となったと判断してしまうことがあった。これにより、液体が残ったままの容器１を液体が貯留された新たなものと交換してしまうことがあり、極めて不経済であった。
また、サイフォン管４をプラグ３に接続する際には、このサイフォン管４のおねじ部分に前述のようにシールテープを巻き付けたり、Ｏリングなどを嵌め込まなければならず、その接続作業に多大な手間及び時間を要していた。
【０００７】
この発明は、上記事情に鑑みてなされたもので、液体の引き出し時におけるガスのリークを確実に防止して、容器の空の誤検知をなくし、容器内の液体を効率良く使用することが可能な接続器具を提供することを目的としている。
【０００８】
【課題を解決するための手段】
上記目的を達成するために、請求項１記載の接続器具は、高純度薬品及び一般化学薬品が貯留される容器の開口部に取り付けられるプラグと、該プラグに接続されるソケットとからなる接続器具であって、前記プラグは、前記開口部へ液密的に固定される蓋本体と、該蓋本体に設けられ、前記ソケットが連結可能なプラグ部と、前記蓋本体の下部から下方へ延在され、前記蓋本体を前記開口部に固定した際に下端部が前記容器の底部近傍に配置されるサイフォン管とを有し、前記プラグ部は、内側が挿通孔とされている円筒状に、かつ、前記サイフォン管の流路と前記挿通孔とが互いに連通されるように形成されており、前記ソケットは、ベローズ部であって、前記プラグと接続され、次いで前記プラグ部の先端部に該ベローズ部の弁座部が当接することによって、軸方向に収縮可能なベローズ部、および該ベローズ部が収縮されることによって、開状態となるバルブを有し、該サイフォン管は、前記蓋本体に一体成型された管体からなり、前記蓋本体と前記プラグ部とが一体成型されており、前記プラグ部は、有底円筒状に形成されたキャップであって、その開口端部側における内面にめねじが形成されたキャップが、前記プラグ部の根元近傍の外周面に形成されたおねじに螺合することによってプラグ部の端部を封鎖可能に構成されていることを特徴としている。
【０００９】
このように、容器の開口部に固定される蓋本体に、蓋本体から下方へ延在されて容器内の液体が送り出される管体が一体成型されてサイフォン管とされているので、プラグ部にホースが接続されたソケットを連結させてポンプによって容器内の液体を引き出す際に、サイフォン管からガスがリークするような不具合を確実に防止することができ、これにより、ガスがリークすることにより、容器内が空であると誤検知してしまい、液体が残留した容器を新たなものと交換してしまうような障害を確実に阻止することができる。つまり、容器内の液体を余すことなく使い切ることができ、極めて経済的である。また、サイフォン管と蓋本体とが一体成型されているので、蓋本体に、別体の管体をねじ込むことにより接続する場合と比べて、煩雑な接続作業をなくすことができる。また、ソケットが連結されるプラグ部も蓋本体に一体成型したものであるので、蓋本体とプラグ部との間からのガスのリークも確実に防止することができる。
【００１０】
請求項２記載の接続器具は、高純度薬品及び一般化学薬品が貯留される容器の開口部に取り付けられるプラグと、該プラグに接続されるソケットとからなる接続器具であって、前記プラグは、前記開口部へ液密的に固定される蓋本体と、該蓋本体に設けられ、前記ソケットが連結可能なプラグ部と、前記蓋本体の下部から下方へ延在され、前記蓋本体を開口部に固定した際に下端部が前記容器の底部近傍に配置されるサイフォン管とを有し、前記プラグ部は、内側が挿通孔とされている円筒状に、かつ、前記サイフォン管の流路と前記挿通孔とが互いに連通されるように形成されており、前記ソケットは、ベローズ部であって、前記プラグと接続され、次いで前記プラグ部の先端部に該ベローズ部の弁座部が当接することによって、軸方向に収縮可能なベローズ部、および該ベローズ部が収縮されることによって、開状態となるバルブを有し、該サイフォン管は、前記蓋本体に一体成型された管体と、該管体の端部に突き合わされ、この突き合わせ部分が互いに溶着されて液密的に一体化された延長管体とからなり、前記蓋本体と前記プラグ部とが一体成型されており、前記プラグ部は、有底円筒状に形成されたキャップであって、その開口端部側における内面にめねじが形成されたキャップが、前記プラグ部の根元近傍の外周面に形成されたおねじに螺合することによってプラグ部の端部を封鎖可能に構成されていることを特徴としている。
【００１１】
つまり、容器の開口部に固定される蓋本体に、蓋本体に一体成型された管体と、この管体に溶着されて液密的に一体化された延長管体とからサイフォン管が構成されているので、プラグ部にホースが接続されたソケットを連結させてポンプによって容器内の液体を引き出す際に、サイフォン管からガスがリークするような不具合を確実に防止することができ、これにより、ガスがリークすることにより、容器内が空であると誤検知してしまい、液体が残留した容器を新たなものと交換してしまうような障害を確実に阻止することができる。つまり、容器内の液体を余すことなく使い切ることができ、極めて経済的である。また、管体と延長管体とを溶着して一体化しているので、蓋本体のめねじ部へ管体をねじ込んで固定することにより接続する場合と比べて、接続部分からのリークを確実に防止することができる。また、ソケットが連結されるプラグ部も蓋本体に一体成型したものであるので、蓋本体とプラグ部との間からのガスのリークも確実に防止することができる。
【００１４】
【発明の実施の形態】
以下、本発明の実施の形態の接続器具を図面を参照して説明する。
図１及び図２において、符号１１は、接続器具を構成するプラグである。このプラグ１１は、容器１の開口部１ａに取り付けられるもので、ホース１２が接続されたソケット１３とともに接続器具を構成している。
プラグ１１は、合成樹脂から成形されたもので、容器１の開口部１ａにねじ込まれて取り付けられる蓋本体１４と、この蓋本体１４に形成された凹部１５の中心に突設されたプラグ部１６と、蓋本体１４の下部に設けられたサイフォン管１７とを有している。
【００１５】
プラグ部１６は、中心に挿通孔１６ａを有する円筒状に形成されており、蓋本体１４に一体成型されている。このプラグ部１６には、その外周面に、円周方向へわたって形成された環状の係止溝１８が形成されており、この係止溝１８には、プラグ部１６へソケット１３を接続した際に、後述する施錠ボール５９が係合するようになっている。また、この係止溝１８の先端側は、周方向へわたって形成され、後述する施錠ボール５９を押し込む係止突条１９とされている。
【００１６】
また、サイフォン管１７は、中心に流路１７ａを有する長尺筒状に形成されたもので、プラグ部１６と同様に、蓋本体１４の下端部に一体成型されている。
そして、このサイフォン管１７の流路１７ａとプラグ部１６の挿通孔１６ａとが互いに連通されている。
また、このサイフォン管１７は、蓋本体１４を容器１の開口部１ａにねじ込んで固定した際に、下端部が容器１の底部近傍に配置される長さに形成されている。
【００１７】
蓋本体１４には、その上端部における外周側に、容器１の開口部１ａに形成されためねじ部１ｂに螺合可能なおねじ部１４ａを有しており、このおねじ部１４ａを開口部１ａのめねじ部１ｂへねじ込むことにより、容器１の開口部１ａに固定されるようになっている。また、蓋本体１４には、おねじ部１４ａの下方側にＯリング１４ｂが設けられており、蓋本体１４を開口部１ａに固定した際に、これら開口部１ａと蓋本体１４との間がＯリング１４ｂによってシールされるようになっている。
【００１８】
また、プラグ部１６の根本近傍における外周面にはおねじ２１が形成されており、このおねじ２１には、図３に示すように、有底円筒状に形成されたキャップ２２の開口端部側における内面に形成されためねじ２３が螺合されるようになっている。このキャップ２２は、その底面に、Ｏリング２４が設けられたもので、このキャップ２２をプラグ１１のプラグ部１６に被せ、めねじ２３をプラグ部１６のおねじ２１にねじ込むことにより、このキャップ２２がプラグ部１６に取り付けられ、底面に設けられたＯリング２４がプラグ部１６の端面に当接し、プラグ部１６が完全に封鎖されるようになっている。
つまり、容器１は、キャップ２２をプラグ部１６へ装着させた状態にて、搬送されるようになっている。
【００１９】
次に、上記構造のプラグ１１のプラグ部１６に接続されるソケット１３の構成及び構造を説明する。符号３１は、内部にバルブ孔３２が形成された主筒体であり、この主筒体３１のバルブ孔３２には、後端部にストッパ３３が固定されており、このストッパ３３には、その中心に形成されためねじ部３４に、棒状に形成されたバルブ部材３５の端部のおねじ部３６がねじ込まれて固定されている。
このバルブ部材３５は、先端部近傍にくびれ部３５ａが形成され、さらにこのくびれ部３５ａよりも先端側に、大径のバルブ３５ｂが形成されている。また、このバルブ３５ｂには、くびれ部３５ａ側に段部３５ｃが形成されている。
【００２０】
また、バルブ孔３２には、ベローズ部材３７が設けられている。このベローズ部材３７は、中間部に断面波形に形成されたベローズ部３８を有する円筒状に形成されたもので、ベローズ部３８にて軸方向へ伸縮可能とされている。そして、このベローズ部材３７は、その後端部が、ストッパ３３の外周面と主筒体３１の内周面との間にて挟持されて固定されている。また、このベローズ部材３７には、その先端側に弁座部３９が形成されている。この弁座部３９は、中心に孔部４１を有しており、この孔部４１の先端側が大径に形成され、この部分が段部４２とされている。
【００２１】
また、ストッパ３３とベローズ部材３７の弁座部３９との間には、スプリング４３が設けられており、このスプリング４３によってベローズ部材３７の弁座部３９が常に先端側へ付勢され、これにより、バルブ部材３５のバルブ３５ｂが弁座部３９の孔部４１に嵌合し、これらバルブ３５ｂと弁座部３９との間が閉鎖されるようになっている。
また、ストッパ３３には、周方向へ沿って複数の流路４４が形成されており、これら流路４４によってホース１２側とベローズ部材３７内とが連通されている。
なお、弁座部３９の先端面には、周方向へわたってＯリング４５が設けられている。
【００２２】
また、主筒体３１の先端部側には、凹部５１が形成されており、この凹部５１に、プラグ部１６が嵌合されるようになっている。また、主筒体３１の外周には、スリーブ５２が摺動可能に設けられており、主筒体３１の先端部に設けられたストップリング５３によって主筒体３１の先端部からのスリーブ５２の脱落が防止されている。このスリーブ５２には、その先端部近傍における内面側に突起部５４が形成されており、この突起部５４と主筒体３１の外周面に形成された段部５５との間には、付勢リング５６及びスプリング５７が設けられている。そして、このスプリング５７によってスリーブ５２が、主筒体３１の先端部方向へ常に付勢されている。
【００２３】
また、主筒体３１の先端部近傍には、円周方向へ間隔をあけてすり鉢状の長孔からなる孔部５８が形成されており、この孔部５８には、施錠ボール５９が設けられている。そして、スリーブ５２を主筒体３１の後端部方向へ移動させた状態にて、施錠ボール５９が主筒体３１の凹部５１の内面側へ出没可能とされ、スリーブ５２がスプリング５７の付勢力によって先端部側へ移動された際に、スリーブ５２の突起部５４によって施錠ボール５９が内面側に押圧されて、その一部が凹部５１から突出された状態に維持されるようになっている。
【００２４】
そして、上記構造の接続器具によれば、プラグ１１のプラグ部１６へソケット１３を押し込むことにより、図４に示すように、プラグ１１のプラグ部１６へソケット１３がワンタッチにて接続される。
【００２５】
ここで、この接続の仕方について説明する。
プラグ１１のプラグ部１６へソケット１３を押し込むと、まず、ソケット１３の施錠ボール５９がプラグ部１６の係止突条１９に当接し、さらにソケット１３を押し込むと、係止突条１９によって施錠ボール５９が外周側へ押し出される。これにより、施錠ボール５９の外周側に設けられた付勢リング５６が、スプリング５７の付勢力に抗してソケット１３の後端側へ移動され、これにより、施錠ボール５９が付勢リング５６とスリーブ５２の突起部５４との間に形成された隙間へ入り込む。
【００２６】
さらにソケット１３をプラグ部１６へ押し込み、施錠ボール５９が係止突条１９を越えると、付勢リング５６を介してスプリング５７によって凹部５１の内面側へ付勢されている施錠ボール５９が凹部５１の内面側へ押し出されて係止溝１８へ入り込み、また、付勢リング５６がソケット１３の先端側へ移動されて突起部５４に当接され、隙間が閉ざされる。
【００２７】
この状態にて、ソケット１３がプラグ部１６に接続された状態となり、ソケット１３に、プラグ部１６から引き抜く力が作用したとしても、施錠ボール５９の外周側への移動がスリーブ５２の突起部５４によって規制され、これにより、これらソケット１３とプラグ部１６との確実なロック状態が確保される。
【００２８】
そして、このように、ソケット１３をプラグ部１６へ接続させると、プラグ部１６の先端部に、ソケット１３のベローズ部材３７の弁座部３９が当接し、これにより、この弁座部３９がスプリング４３の付勢力に抗してソケット１３の後端部側へ押し込まれてベローズ部３８が収縮され、また、ソケット１３のバルブ部材３５のバルブ３５ｂがプラグ部１６の挿通孔１６ａ内に挿入された状態となる。
これにより、ベローズ部材３７の弁座部３９とバルブ部材３５のバルブ３５ｂとが離間し、これらの間に流路が形成され、ソケット１３に接続されたホース１２とプラグ１１のサイフォン管１７の流路１７ａとが互いに連通した状態とされる。
【００２９】
なお、容器１の他方の開口部１ａには、サイフォン管１７のないプラグ１１が取り付けられており、このプラグ１１には、容器１内へ不活性ガスを供給するホース１２が接続されたソケット１３を連結する。
【００３０】
そして、上記のようにして、プラグ１１へソケット１３を接続した後に、ポンプＰを作動させることにより、容器１内の液体がサイフォン管１７の下端部から吸い上げられ、プラグ１１及びソケット１３内を通過し、ホース１２へ送り出されるようになっている。
なお、このとき、他方側の開口部１ａのプラグ１１に接続されたソケット１３のホース１２からは不活性ガスが送り込まれて容器１内に充填され、容器１内が負圧にならないようにされる。
【００３１】
容器１内の液体が引き出されて空の状態となると、サイフォン管１７には、容器１内に充填された不活性ガスが送り込まれ、これにより、ポンプＰの下流側に設けられた空検知手段がガスの流入を検知することにより、容器１が空となったと判断する。そして、この空と判断された容器１に代えて、液体が貯留された新たな容器１からの液体の取り出しが行われる。
【００３２】
なお、プラグ１１からソケット１３を外す場合は、ソケット１３のスリーブ５２を後端部側へ引き寄せる。このようにすると、スリーブ５２の突起部５４が付勢リング５６を引き上げながらソケット１３の後端部へ移動され、これにより、突起部５４の先端部側に、この突起部５４とストップリング５３との間に隙間が形成される。そして、この状態にてソケット１３をプラグ部１６から引き抜くと、施錠ボール５９が係止突条１９によって突起部５４とストップリング５３との隙間へ入り込むことにより外周側へ移動され、ソケット１３のプラグ部１６からの引き抜きが可能となる。
【００３３】
そして、このようにスリーブ５２を後端部側へ引き寄せてロックを解除した状態にてソケット１３をプラグ部１６から引き抜くと、ソケット１３のベローズ部材３７の弁座部３９がスプリング４３によって先端側へ付勢され、これにより、この弁座部３９の孔部４１にバルブ部材３５のバルブ３５ｂが嵌合し、これら弁座部３９とバルブ３５ｂとの間に形成されていた流路が閉鎖される。
つまり、ソケット１３のスリーブ５２を後端部側へ引き寄せつつソケット１３をプラグ部１６から引き抜くことにより、極めて容易に、プラグ１１からソケット１３を外して接続を解除させることができる。
【００３４】
このように、上記の接続器具によれば、プラグ１１が、容器１の開口部１ａに固定される蓋本体１４に、蓋本体１４から下方へ延在されて容器１内の液体が送り出される管体が一体成型されてサイフォン管１７とされているので、プラグ部１６にホース１２が接続されたソケット１３を連結させてポンプＰによって容器１内の液体を引き出す際に、サイフォン管１７からガスがリークするような不具合を確実に防止することができ、これにより、ガスがリークすることにより、容器１内が空であると誤検知してしまい、液体が残留した容器１を新たなものと交換してしまうような障害を確実に阻止することができる。つまり、容器１内の液体を余すことなく使い切ることができ、極めて経済的である。
【００３５】
また、サイフォン管１７と蓋本体１４とが一体成型されているので、蓋本体１４に、別体の管体をねじ込むことにより接続する場合と比べて、煩雑な接続作業をなくすことができる。
【００３６】
また、ソケット１３が連結されるプラグ部１６も蓋本体１４に一体成型したものであるので、蓋本体１４とプラグ部１６との間からのガスのリークも確実に防止することができる。
【００３７】
図５に示すものは、他の実施の形態の接続器具を構成するプラグ１１である。このプラグ１１は、蓋本体１４に一体成型された管体１７Ａと、管体１７Ａの端部に接続された延長管体１７Ｂとからサイフォン管１７が構成されている。
そして、このサイフォン管１７を構成する管体１７Ａと延長管体１７Ｂとは、互いに突き合わされ、この突き合わせ部分が互いに溶着されて液密的に一体化されている。
【００３８】
そして、この実施形態例の接続器具を構成するプラグ１１の場合も、容器１の開口部１ａに固定される蓋本体１４に、蓋本体１４に一体成型された管体１７Ａと、この管体１７Ａに溶着されて液密的に一体化された延長管体１７Ｂとからサイフォン管１７が構成されているので、プラグ部１６にホース１２が接続されたソケット１３を連結させてポンプＰによって容器１内の液体を引き出す際に、サイフォン管１７からガスがリークするような不具合を確実に防止することができ、これにより、ガスがリークすることにより、容器１内が空であると誤検知してしまい、液体が残留した容器１を新たなものと交換してしまうような障害を確実に阻止することができ、容器１内の液体を余すことなく使い切ることができ、極めて経済的である。
また、管体１７Ａと延長管体１７Ｂとを溶着して一体化しているので、蓋本体のめねじ部へ管体をねじ込んで固定することにより接続する場合と比べて、接続部分からのリークを確実に防止することができる。
【００３９】
【発明の効果】
以上、説明したように、本発明の接続器具によれば、下記の効果を得ることができる。
請求項１記載の接続器具によれば、容器の開口部に固定される蓋本体に、蓋本体から下方へ延在されて容器内の液体が送り出される管体が一体成型されてサイフォン管とされているので、プラグ部にホースが接続されたソケットを連結させてポンプによって容器内の液体を引き出す際に、サイフォン管からガスがリークするような不具合を確実に防止することができ、これにより、ガスがリークすることにより、容器内が空であると誤検知してしまい、液体が残留した容器を新たなものと交換してしまうような障害を確実に阻止することができる。つまり、容器内の液体を余すことなく使い切ることができ、極めて経済的である。
また、サイフォン管と蓋本体とが一体成型されているので、蓋本体に、別体の管体をねじ込むことにより接続する場合と比べて、煩雑な接続作業をなくすことができる。
【００４０】
請求項２記載の接続器具によれば、容器の開口部に固定される蓋本体に、蓋本体に一体成型された管体と、この管体に溶着されて液密的に一体化された延長管体とからサイフォン管が構成されているので、プラグ部にホースが接続されたソケットを連結させてポンプによって容器内の液体を引き出す際に、サイフォン管からガスがリークするような不具合を確実に防止することができ、これにより、ガスがリークすることにより、容器内が空であると誤検知してしまい、液体が残留した容器を新たなものと交換してしまうような障害を確実に阻止することができる。つまり、容器内の液体を余すことなく使い切ることができ、極めて経済的である。
また、管体と延長管体とを溶着して一体化しているので、蓋本体のめねじ部へ管体をねじ込んで固定することにより接続する場合と比べて、接続部分からのリークを確実に防止することができる。
【００４１】
請求項３記載の接続器具によれば、ソケットが連結されるプラグ部も蓋本体に一体成型したものであるので、蓋本体とプラグ部との間からのガスのリークも確実に防止することができる。
【図面の簡単な説明】
【図１】  本発明の実施の形態の接続器具の構成及び構造を説明する接続器具が設けられた容器の断面図である。
【図２】  本発明の実施の形態の接続器具の構成及び構造を説明する接続器具を構成するプラグ及びソケットの断面図である。
【図３】  本発明の実施の形態の接続器具の構成及び構造を説明するプラグの断面図である。
【図４】  本発明の実施の形態の接続器具の構成及び構造を説明する互いに接続されたプラグ及びソケットの断面図である。
【図５】  本発明の他の実施の形態の接続器具の構成及び構造を説明するプラグの断面図である。
【図６】  接続器具の従来技術を説明する容器の断面図である。
【符号の説明】
１  容器
１ａ  開口部
１１  プラグ
１３  ソケット
１４  蓋本体
１６  プラグ部
１７  サイフォン管
１７Ａ  管体
１７Ｂ  延長管体
【図１】
0004458644.tif 000002
【図２】
0004458644.tif 000003
【図３】
0004458644.tif 000004
【図４】
0004458644.tif 000005
【図５】
0004458644.tif 000006
【図６】
0004458644.tif 000007